(57)【特許請求の範囲】
【請求項１】
吸込み口および吹出し口を備え、前面パネルと後本体とから構成される室内機本体と、この室内機本体内に配置され側面視で略Ｖ字状をなし、室内機本体の前面側に位置する前側熱交換器部および後面側に位置する後側熱交換器部とから構成される熱交換器と、この熱交換器に覆われるように配置され、吸込み口から室内空気を吸込んで熱交換器に流通させ吹出し口から室内へ送風する送風機とを具備した空気調和機の室内機において、
上記室内機本体を構成する上記後本体は、
上記吸込み口から熱交換器と送風機を介して上記吹出し口に連通する送風路と、
上記後側熱交換器部の下部に配置される後部ドレンパンと、
上記前側熱交換器部の下部に配置される前部ドレンパンと、
上記後部ドレンパンの両側端と上下方向に落差を存して設けられ、後部ドレンパンが集水するドレン水を前部ドレンパンへ流通案内する側部排水路と、
上記側部排水路に設けられ、後部ドレンパン側端部が後部ドレンパンと略同じ高さをなし、前部ドレンパンへ向って漸次、低く形成される水跳ね防止リブと、
上記後部ドレンパンの側端と上記側部排水路の側端との、上下方向に落差を存する間に亘って設けられ、後部ドレンパンの側端と連結する上端側の幅寸法が、上記側部排水路の側端と連結する下端側の幅寸法よりも広い略Ｖ字状の路面に形成されるとともに、上端から下端に亘って斜め外方へ傾斜する案内流路とを具備し、
上記後部ドレンパンは、背面壁と、この背面壁と所定間隔を存する内側に設けられる内面壁および、これら背面壁と内面壁の下端を一体に連結する底面壁とから構成され、上記底面壁の側端が上記案内流路の上端となることを特徴とする空気調和機の室内機。
【発明の詳細な説明】
【技術分野】
【０００１】
本発明は、側面視で略Ｖ字状をなし、前側熱交換器部および後側熱交換器部から構成される熱交換器を備えた空気調和機の室内機に係り、特に後側熱交換器部から滴下するドレン水を側部排水路へ導く排水処理構造の改良に関する。
【背景技術】
【０００２】
熱交換面積を充分確保するとともに、熱交換器自体の高さ寸法を抑制し、それによって室内機本体の高さ寸法の低減化を得るために、側面視で略Ｖ字状をなし、前側熱交換器部および後側熱交換器部から構成される熱交換器を備えた空気調和機の室内機が多用される傾向にある。
【０００３】
この室内機では、上記前側熱交換器部の下部に前部ドレンパンが配置され、後側熱交換器部の下部に後部ドレンパンが配置されていて、それぞれのドレンパンは各熱交換器部の熱交換作用にともなって生成されたドレン水を受ける。後部ドレンパンが受けたドレン水は、後部ドレンパンと前部ドレンパンの両側端相互間に亘って設けられる樋からなる側部排水路を介して前部ドレンパンに導かれる。
【０００４】
前部ドレンパンは前側熱交換器部の熱交換作用にともなって生成されるドレン水を受け、上記側部排水路を介して導かれるドレン水が合流する。前部ドレンパンにはドレンホースが接続される排水口体が設けられていて、後部ドレンパンと前部ドレンパンが受けた全てのドレン水は、ドレンホースを介して速やかに外部へ排水される。
【特許文献１】特許３２３５９４８号公報
【発明の開示】
【発明が解決しようとする課題】
【０００５】
ところで、上記ドレンパン構造において課題は後部ドレンパンが受けたドレン水を側部排水路に導く案内構造にある。すなわち、後部ドレンパン底面と側部排水路底面との間には上下方向に落差が存在しているので、後部ドレンパン底面から流出するドレン水は上記落差を垂直に流下して、側部排水路底面に到達する。
【０００６】
そのため、ドレン水が側部排水路に到達した際に跳ね返り、周辺に飛散してしまう。水量によっては、後部ドレンパンの下面に回り込んだあと排水路に滴下したり、正しく側部排水路に流下せずに送風路や室内機本体の側面壁まで飛散して、室内機本体から水漏れする等の虞れがあった。
【０００７】
その対策として、側部排水路の上面に別体の蓋体を被せて、ドレン水の飛散を防止している。したがって水跳ねと水漏れの虞れが無くなったが、室内機本体内の構成部品が多くなるとともに、組立工数が増加してしまう。また、蓋を被せることで排水路が密閉された状態となり、常に湿った状態で保持されるため、カビの発生を招くなどの不具合が生じている。
【０００８】
本発明は上記事情にもとづきなされたものであり、その目的とするところは、後部ドレンパンから側部排水路へ上下方向に落差を存する間に亘って最適構成の案内流路を備えることにより、後部ドレンパンから側部排水路へのドレン水の案内を確実化して、排水処理効率の向上を図れる空気調和機の室内機を提供しようとするものである。
【課題を解決するための手段】
【０００９】
上記目的を満足するため、本発明における空気調和機の室内機は、室内機本体が吸込み口と吹出し口を備えて前面パネルと後本体とから構成され、熱交換器が室内機本体内に配置され側面視で略Ｖ字状をなし室内機本体の前面側に位置する前側熱交換器部および後面側に位置する後側熱交換器部とから構成され、送風機が熱交換器に覆われるように配置され吸込み口から室内空気を吸込んで熱交換器に流通させて吹出し口から送風し、  
上記吸込み口から熱交換器と送風機を介して上記吹出し口に連通する送風路と、後側熱交換器部の下部に配置される後部ドレンパンと、前側熱交換器部の下部に配置される前部ドレンパンと、後部ドレンパンの両側端と上下方向に落差を存して設けられ後部ドレンパンが集水するドレン水を前部ドレンパンへ流通案内する側部排水路と、側部排水路に設けられ後部ドレンパン側端部が後部ドレンパンと略同じ高さをなし前部ドレンパンへ向って漸次低く形成される水跳ね防止リブと、後部ドレンパンの側端と上記側部排水路の側端との、上下方向に落差を存する間に亘って設けられ後部ドレンパンの側端と連結する上端側の幅寸法が側部排水路の側端と連結する下端側の幅寸法よりも広い略Ｖ字状の路面に形成されるとともに上端部から下端部に亘って斜め外方へ傾斜する案内流路を有し、
上記後部ドレンパンは、背面壁と、この背面壁と所定間隔を存する内側に設けられる内面壁および、これら背面壁と内面壁の下端を一体に連結する底面壁とから構成され、底面壁の側端が案内流路の上端となる。
【発明の効果】
【００１０】
本発明によれば、後部ドレンパンから側部排水路へのドレン水の案内を確実化して、排水処理効率の向上を図れる効果を奏する。
【発明を実施するための最良の形態】
【００１１】
以下、本発明の実施の形態を、図面にもとづいて説明する。  
図１は、空気調和機の室内機における概略の縦断面図である。（なお、説明中に符号を付していない部品は図示していない。以下同じ）  
室内機本体１は、前側筐体である前面パネル２と、後側筐体である後本体３とから構成されていて、上下方向に対して幅方向に長い横長形状をなす。上記前面パネル２の前面側一部に前面吸込み口４が開口され、前面吸込み口４に対向する前面パネル２には開閉駆動機構に支持されるパネル２Ａが嵌め込まれている。
【００１２】
前側熱交換器部８Ａ前面とパネル２Ａとの間は所定の間隙を存するとともに、パネル２Ａの上端と下端部分は室内側と連通する開口を備え、前側熱交換器部８Ａ前面に室内空気を導入する吸込み口４を形成する。また、前面パネル２の上部には上面吸込み口５が設けられていて、この上面吸込み口５には枠状の桟が嵌め込まれ、上記桟によって複数の空間部に仕切られている。
【００１３】
上記前面パネル２の下端と後本体３の下端とで吹出し口６が形成され、この吹出し口６には複数の吹出しルーバー７が設けられる。各吹出しルーバー７は、それぞれの回動姿勢によって上記吹出し口６を開閉し、もしくは運転条件に応じて熱交換空気の吹出し方向を設定できるようになっている。
【００１４】
室内機本体１内には、前側熱交換器部８Ａと後側熱交換器部８Ｂとで略逆Ｖ字状に形成される熱交換器８が配置される。上記前側熱交換器部８Ａは、前面パネル２と間隙を存してほぼ平行な湾曲状に形成され、前面吸込み口４全面および上面吸込み口５一部と対向する。上記後側熱交換器部８Ｂは直状に形成されて斜めに傾斜し、上面吸込み口５と対向する。
【００１５】
上記熱交換器８で覆われるように、前後側熱交換器部８Ａ，８Ｂ相互間には室内送風機１０が配置される。上記室内送風機１０は、室内機本体１の一側端のスペースに配置されるファンモータと、このファンモータの回転軸に一方の支軸が機械的に連結され、他端部は軸受け具に支持される横流ファンとから構成される。上記横流ファンの軸方向長さは熱交換器８の幅方向長さと一致し、かつ正しく対向して配置される。
【００１６】
上記後本体３には、前側熱交換器部８Ａの下部に配置される前部ドレンパン１２ａと、上記後側熱交換器部８Ｂの下部に配置される後部ドレンパン１２ｂが一体に成形される。なお説明すると、前部ドレンパン１２ａは室内機本体１の前面側にあって上記前面吸込み口４の下端部に沿い、かつ吹出し口６の直上部に位置している。後部ドレンパン１２ｂは室内機本体１の後面側にあり、前部ドレンパン１２ａよりも上方部位に位置している。
【００１７】
前部ドレンパン１２ａは前側熱交換器部８Ａから滴下するドレン水を受け、後部ドレンパン１２ｂは後側熱交換器部８Ｂから滴下するドレン水を受けるようになっている。そして、後本体３には後部ドレンパン１２ｂの両側端と上下方向に落差を存して、図２以降で図示する側部排水路Ｒが一体に設けられる。
【００１８】
上記側部排水路Ｒは、後部ドレンパン１２ｂの両側端と上下方向に落差を存した位置から前部ドレンパン１２ａの両側端との間に亘って設けられている。したがって、後部ドレンパン１２ｂが受けたドレン水は、側部排水路Ｒを介して前部ドレンパン１２ａに導かれるようになっている。
【００１９】
前、後部ドレンパン１２ａ，１２ｂの一部側壁外面は室内送風機１０に近接して設けられ、これらで室内送風機１０の横流ファンに対するノーズを構成している。ノーズとなる前、後部ドレンパン１２ａ，１２ｂの側壁部分と吹出し口６の各辺部との間は、隔壁部材１４によって連結される。
【００２０】
上記隔壁部材１４で囲まれる空間が、前面吸込み口４および上面吸込み口５から熱交換器８と送風機１０を介して吹出し口６とを連通する送風路１５の一部を形成している。このように後本体３には、前部ドレンパン１２ａと、後部ドレンパン１２ｂと、側部排水路Ｒおよび送風路１５が一体に設けられる。
【００２１】
つぎに、上記側部排水路Ｒについて詳述する。  
図２は、室内機本体１から前面パネル２と熱交換器８および送風機１０を取外して後本体３を残した状態を前面側左斜め上方から見た平面斜視図である  
後本体３の左右両側部を除いた中央のほとんど大部分が上記送風路１５を形成する部位となっている。送風路１５の上端に沿って後部ドレンパン１２ｂが設けられ、下部側に沿って前部ドレンパン１２ａが設けられる。さらに、前部ドレンパン１２ａの下部に沿って上記吹出し口６の一部が形成される。
【００２２】
上記送風路１５の左右両側部に沿って側部排水路Ｒが設けられている。具体的には、側部排水路Ｒの後側端部は後部ドレンパン１２ｂ側端とは上下方向に落差を存し、前側端部は前部ドレンパン１２ａ側端に連通する。特に、右側部排水路Ｒのさらに右側部は、上記送風機１０を構成するファンモータを取付けるための取付けスペースとなっている。
【００２３】
上記左側部排水路Ｒと右側部排水路Ｒはともに同一構成をなしているので、以下、左側部排水路Ｒのみについて図示するとともに説明をなし、右側部排水路Ｒについては以下の説明と図を適用して新たな説明は省略する。
【００２４】
図３は後本体３の左側部を拡大した平面図、図４は後本体３の左側部の側面図、図５は後本体３の左側部において特にこの上部を拡大した斜視図である。  
上記側部排水路Ｒは、上記送風路１５との境をなすよう突設される内側仕切り板２０と、この内側仕切り板２０の外側に所定間隔を存して並行に突設される外側仕切り板２１と、これら内外側仕切り板２０，２１の下端を一体に連結する底板２２から構成される。したがって側部排水路Ｒは、内外側仕切り板２０，２１および底板２２とで、断面略Ｕ字状をなす。
【００２５】
内側仕切り板２０および外側仕切り板２１の突出端縁は半円状に切欠加工される。上記外側仕切り板２１のさらに外側に所定間隔を存して並行に受け板２３が設けられていて、この受け板２３の突出端縁も同様に半円状に切欠加工される。これら内外側仕切り板２０，２１および受け板２３の半円状切欠き上には、軸受けベース（右側部においては、ファンモータを拘束するモーターバンド）が載置されるようになっている。
【００２６】
上記軸受けベースは、上記送風機１０を構成する横流ファン端部の軸受け具を取付けるためのものである。内側仕切り板２０と外側仕切り板２１および底板２２で形成される側部排水路Ｒの上面側は開放されているが、上記軸受けベース（モーターバンド）が配置されることにより上面開口の一部が閉成される。
【００２７】
上記後部ドレンパン１２ｂは、後本体３の背面部から分岐して形成され、上半部が手前側に斜めに傾斜し、下半分が垂直な背面壁Ａと、この背面壁Ａと所定間隔を存する内側に、背面壁Ａの斜め傾斜部分と同一の角度で傾き並行に設けられる内面壁Ｂと、これら背面壁Ａと内面壁Ｂの下端を一体に連結する底面壁Ｃとからなる。
【００２８】
上記側部排水路Ｒにおいて、後部ドレンパン内面壁Ｂの側端に沿うとともに、側部排水路Ｒの底面壁Ｃとの当接部位には、水跳ね防止リブ２５が一体に設けられる。この水跳ね防止リブ２５は、側部排水路Ｒにおける内側仕切り板２０と外側仕切り板２１との略中間部の底板２２上に、これら内外側仕切り板２０，２１と所定間隔を存して並行に設けられる。
【００２９】
上記水跳ね防止リブ２５の上端は、後部ドレンパン１２ｂと略同じ高さをなし、かつ上記内側仕切り板２０および外側仕切り板２１の上端と同一の高さに形成される。水跳ね防止リブ２５の上端から下端に向って漸次低く形成され、実際には、側部排水路Ｒの底板２２から所定の高さ寸法（数ｍｍ）だけ突出する。
【００３０】
上記後部ドレンパン１２ｂは背面壁Ａと内面壁Ｂおよび底面壁Ｃとで断面略Ｕ字状に形成されるが、後部ドレンパン１２ｂの底面壁Ｃと上記側部排水路Ｒの底板２２との間に、上下方向の落差が形成される。この上下方向の落差間に後述する案内流路３０が設けられる。すなわち、上記案内流路３０は、後部ドレンパン１２ｂ側端と側部排水路Ｒの側端とを連通する流路面からなる。
【００３１】
なお説明すると、後部ドレンパン１２ｂを構成する内面壁Ｂの側端のみは、底面壁Ｃの側端よりも側方へ突出している。この内面壁Ｂの突出端は、内面壁Ｂと同一の傾斜角度のまま下方へ延長され、背面壁Ａの垂直部分に連結される。後部ドレンパン１２ｂの底面壁Ｃと、底面壁Ｃより下方の背面壁Ａと内面壁延長部分Ｂｚで囲まれる逆三角状部分が、上記案内流路３０となる。
【００３２】
上記案内流路３０の上端は、後部ドレンパン底面壁Ｃと一体に連結されているので、案内流路３０上端の幅寸法は後部ドレンパン底面壁Ｃと共通する幅寸法となる。案内流路３０下端は、後部ドレンパン背面壁Ａと内面壁延長部分Ｂｚとの接点部位と共通する。
【００３３】
したがって、案内流路３０は図４に示すように、上端が前面に対して斜め下方に傾斜し、左斜辺が垂直で右斜辺が斜めに傾斜する略Ｖ字状の不等辺三角形路面を形成する。上端は後部ドレンパン１２ｂの底面壁Ｃと共通し、左斜辺は背面壁Ａ垂直部分と共通し、右斜辺は内面壁延長部分Ｂｚがそのまま用いられることになる。
【００３４】
上記案内流路３０は、後部ドレンパン１２ｂの側端と連結する上端側の幅寸法が、側部排水路Ｒの側端と連結する下端側の幅寸法よりも広い。そして、図３および図５に示すように、上端から下端に亘って斜め外方へ傾斜する流面をなす。  
左側部排水路Ｒおよび案内流路３０は以上のように構成されていて、右側部排水路Ｒにおいても左側部排水路Ｒと略同一構造をなし、同一構成の案内流路３０を備えている。相違するのは、前述したように左側部排水路Ｒと受け板２３とで上記送風機１０の軸受け具を支持するのに対して、右側部排水路Ｒと受け板２３とで送風機１０のファンモータを拘束するモーターバンドを支持することのみである。
【００３５】
このようにして構成される空気調和機の室内機であって、図示しないリモコン（遠隔操作盤）から運転開始の信号が送られてくると、制御部は可動パネル２Ａを開放し、熱交換器８に対する冷凍サイクル運転をなすとともに、送風機１０を駆動する。  
室内空気は前面吸込み口４と上面吸込み口５から吸込まれて熱交換器８を流通し、このとき熱交換作用をなす。上記熱交換器８と熱交換したあとの熱交換空気は、送風路１５に沿って案内され吹出し口６から室内へ吹出される。したがって、室内に対する空気調和がなされる。
【００３６】
冷房運転の際には、熱交換器８にドレン水が生成して滴下する。前側熱交換器部８Ａから滴下するドレン水を前部ドレンパン１２ａが受け、後側熱交換器部８Ｂから滴下するドレン水は後部ドレンパン１２ｂが受ける。  
後部ドレンパン１２ｂが前部ドレンパン１２ａよりも高位にあり、しかも後部ドレンパン１２ｂと前部ドレンパン１２ａの両側端が左右側部排水路Ｒを介して連通しているので、後部ドレンパン１２ｂが受けたドレン水は左右側部排水路Ｒに導かれ、さらに前部ドレンパン１２ａに集流される。
【００３７】
特に、後部ドレンパン１２ｂの両側端と左右側部排水路Ｒとの間には上下方向に落差が存在するが、ここには案内流路３０が形成されているので、後部ドレンパン１２ｂから案内流路３０を介して左右側部排水路Ｒにドレン水が円滑に導かれる。  
なお説明すると、案内流路３０は後部ドレンパン１２ｂの側端である上端側の幅が、側部排水路Ｒの側端である下端側の幅よりも広く形成されて略Ｖ字状面をなすとともに、上端から下端に亘って斜め外方へ傾斜している。
【００３８】
したがって、後部ドレンパン１２ｂから案内流路３０に載ったドレン水は、案内流路３０面を滑らかに流れて左右側部排水路Ｒに導かれる。左右側部排水路Ｒに到達した時点で飛散することなく、側部排水路Ｒの略中央部に集中して導かれる。  
しかも、左右側部排水路Ｒにおける案内流路３０下端と接する位置から前部ドレンパン１２ａに亘って水跳ね防止リブ２５が設けられている。水跳ね防止リブ２５の基端部が後部ドレンパン１２ｂと略同じ高さをなし、下流側へ向って漸次、低く形成されるので、ドレン水が後部ドレンパン１２ｂから案内流路３０を介して左右側部排水路Ｒに流下する際に送風路１５との仕切りをなす内側仕切り板２０面にドレン水が付着することで送風路１５側に結露が生じることを防止する。
【００３９】
そのため、案内流路３０に沿って流れるドレン水が内側仕切り板２０を介して送風路１５内に浸入することがなく、吹出し口６から吹出される熱交換空気にドレン水が含まれる虞れは全くないので、快適性を保持できる。  
なお、水跳ね防止リブ２５の基端部が後部ドレンパン１２ｂと略同じ高さであるが、ここから下流側（前部ドレンパン１２ａ側）へ低く形成することで、内外側仕切り板２０，２１の相互間の隙間を十分取ることができる。
【００４０】
そのため、後本体３を製造する際に、並行して突設する内外側仕切り板２０，２１の肉厚を充分に確保できる。樹脂材料を効果的に充填できるため、内外側仕切り２０，２１の薄肉化が生じることを防止して、後本体３の強度を低下させることなく品質向上が図れる。  
また、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組み合わせにより種々の発明を形成できる。
【図面の簡単な説明】
【００４１】
【図１】本発明における一実施の形態に係る、空気調和機の室内機の概略側断面図。
【図２】同実施の形態に係る、後本体の前面側左斜め上方から見た平面斜視図。
【図３】同実施の形態に係る、後本体の左側部の平面図。
【図４】同実施の形態に係る、後本体の左側部の側面図。
【図５】同実施の形態に係る、後本体の左側部の上部斜視図。
【符号の説明】
【００４２】
４…前面吸込み口、５…上面吸込み口、６…吹出し口、２…前面パネル、３…後本体、１…室内機本体、８Ａ…前側熱交換器部、８Ｂ…後側熱交換器部、８…熱交換器、１０…送風機、１５…送風路、１２ｂ…後部ドレンパン、１２ａ…前部ドレンパン、Ｒ…側部排水路、３０…案内流路、２５…水跳ね防止リブ。
【図１】
0004806568.tif 000002
【図２】
0004806568.tif 000003
【図３】
0004806568.tif 000004
【図４】
0004806568.tif 000005
【図５】
0004806568.tif 000006